(57)【特許請求の範囲】
【請求項１】
複数の伝送装置をリングネットワークで接続する伝送装置であって、
試験信号を生成する生成部と、
生成した前記試験信号を前記リングネットワーク上の次段の伝送装置に伝送する送信部と、
前記次段の伝送装置で測定した前記試験信号に基づく自装置の伝送特性を、前記リングネットワークを周回して前段の伝送装置から取得したか否かを判定する判定部と、
前記自装置の伝送特性を取得した場合に、取得した伝送特性に基づき、前記送信部の送信に関わる制御量を設定する設定部と
を有することを特徴とする伝送装置。
【請求項２】
前段の伝送装置から前記試験信号を受信した場合に当該試験信号に基づく伝送特性を測定する測定部と、
前記測定部で測定された前記伝送特性に、前記試験信号を発信した伝送装置の識別情報を付加する付加部と
を更に有し、
前記送信部は、
前記識別情報が付加された前記伝送特性を、前記リングネットワークを周回して前記試験信号を発信した伝送装置に送信すべく、前記次段の伝送装置に伝送することを特徴とする請求項１に記載の伝送装置。
【請求項３】
前記判定部は、
前記前段の伝送装置から前記伝送特性を受信した場合に、前記伝送特性に付加された前記識別情報に基づき、自装置の伝送特性を取得したか否かを判定することを特徴とする請求項２に記載の伝送装置。
【請求項４】
前段の伝送装置から前記試験信号を受信した場合に当該試験信号に基づく伝送特性を測定する測定部と、
前記測定部にて測定された前記伝送特性を記憶する記憶部と
を更に有し、
前記送信部は、
所定タイミングを検出した場合に、前記記憶部に記憶中の伝送特性を、前記リングネットワークを周回して前記試験信号を発信した伝送装置に送信すべく、前記次段の伝送装置に伝送することを特徴とする請求項１に記載の伝送装置。
【請求項５】
前記前段の伝送装置から前記伝送特性を受信した場合に、受信した前記伝送特性に、前記記憶部に記憶中の伝送特性を所定順序で連結する連結部を更に有し、
前記送信部は、
前記連結部で連結した前記伝送特性を前記次段の伝送装置に伝送することを特徴とする請求項４に記載の伝送装置。
【請求項６】
前記設定部は、
前記前段の伝送装置から前記伝送特性を受信した場合に、前記所定順序に基づき、当該連結した伝送特性から自装置の伝送特性を抽出し、抽出した伝送特性に基づき、前記制御量を設定することを特徴とする請求項５に記載の伝送装置。
【請求項７】
前記前段の伝送装置から前記試験信号を受信した場合に当該試験信号に対応する伝送特性を測定する測定部と、
前記測定部にて測定された前記伝送特性を記憶する記憶部と、
所定タイミングを検出した場合に、前記記憶部に記憶中の伝送特性に当該試験信号を発信した伝送装置の識別情報を付加する付加部と
を更に有し、
前記送信部は、
前記識別情報が付加された前記伝送特性を、前記リングネットワークを周回して前記試験信号を発信した伝送装置に送信すべく、前記次段の伝送装置に伝送することを特徴とする請求項１に記載の伝送装置。
【請求項８】
前記前段の伝送装置から前記伝送特性を受信した場合に、前記付加部にて前記記憶部に記憶中の前記伝送特性に当該試験信号を発信した伝送装置の前記識別情報を付加し、前記識別情報が付加された前記伝送特性を、受信した前記伝送特性に連結する連結部を更に有し、
前記送信部は、
前記連結部にて連結した前記伝送特性を前記次段の伝送装置に伝送することを特徴とする請求項７に記載の伝送装置。
【請求項９】
前記設定部は、
前記前段の伝送装置から前記伝送特性を受信した場合に、前記連結した伝送特性に付加された前記識別情報に基づき、当該連結した伝送特性から自装置の伝送特性を抽出し、抽出した伝送特性に基づき、前記制御量を設定することを特徴とする請求項８に記載の伝送装置。
【請求項１０】
リングネットワークで接続した複数の伝送装置の設定方法であって、
前記伝送装置は、
試験信号を生成し、
生成した前記試験信号を前記リングネットワーク上の次段の伝送装置に送信し、
前記次段の伝送装置で測定した前記試験信号に基づく自装置の伝送特性を、前記リングネットワークを周回して前段の伝送装置から取得したか否かを判定し、
前記自装置の伝送特性を取得した場合に、取得した伝送特性に基づき、送信に関わる制御量を設定する
処理を実行することを特徴とする設定方法。
【発明の詳細な説明】
【技術分野】
【０００１】
本発明は、伝送装置及び設定方法に関する。
【背景技術】
【０００２】
近年、光ネットワークを用いて、大容量のデータを光伝送する伝送方式が望まれている。光ネットワークの伝送方式では、例えば、ＤＭＴ（離散マルチトーン：Discrete  Multi-Tone）変調方式等のマルチキャリア変調方式が知られている。ＤＭＴ変調方式は、ＯＦＤＭ（Orthogonal  Frequency  Division  Multiplexing）技術を基礎にしたマルチキャリア伝送技術の一つである。ＤＭＴ変調方式は、複数の異なる周波数のサブキャリア（ＳＣ:Subcarrier）にデータを割り当て、これらＳＣ毎に割り当てられたデータを多値度及び信号パワーの割当量に基づいて変調し、ＤＭＴ信号としてデータを高速伝送する技術である。
【０００３】
ＤＭＴ変調方式の伝送装置は、システムの起動時等に、対向側の伝送装置にプローブ信号を伝送する。そして、対向側の伝送装置は、受信したプローブ信号に基づき伝送特性を測定し、その伝送特性を伝送装置に返信する。そして、伝送装置は、受信した伝送特性に基づき、ＳＣ毎の多値度（ビット数）及び信号パワーの割当量を決定する。そして、伝送装置は、決定したＳＣ毎の多値度及び信号パワーの割当量に基づきＳＣ毎に割り当てられたデータを変調してＤＭＴ信号を生成する。つまり、伝送装置間のネゴシエーションを実行することで、伝送装置間で安定したＤＭＴ伝送を確保できる。
【先行技術文献】
【特許文献】
【０００４】
【特許文献１】特許第５７０８２５２号公報
【非特許文献】
【０００５】
【非特許文献１】D.Lewis,  et  al.  “400GE  DMT  Multi-Vendor  Interoperability  Requirements”  http://www.ieee802.org/3/bs/public/15_01/corbeil_3bs_01_0115.pdf
【発明の概要】
【発明が解決しようとする課題】
【０００６】
伝送装置は、Point  to  Pointのネットワークで接続した場合、双方向通信であるため、伝送装置間でプローブ信号に基づく伝送特性を返信できることから、対向側の伝送装置との間でネゴシエーションを実行できる。その結果、伝送装置間の伝送特性に基づき安定したＤＭＴ伝送を確保できる。
【０００７】
しかしながら、伝送装置は、リングネットワークで接続した場合、一方向通信であるため、伝送装置間でプローブ信号に基づく伝送特性を返信できず、対向側の伝送装置との間のネゴシエーションを確保できない。
【０００８】
一つの側面では、リングネットワーク内の伝送装置間で伝送特性を設定する際のネゴシエーションを確保できる伝送装置及び設定方法を提供することを目的とする。
【課題を解決するための手段】
【０００９】
一つの態様は、複数の伝送装置をリングネットワークで接続する伝送装置である。伝送装置は、生成部と、送信部と、判定部と、設定部とを有する。生成部は、試験信号を生成する。送信部は、生成した前記試験信号を前記リングネットワーク上の次段の伝送装置に伝送する。判定部は、前記次段の伝送装置で測定した前記試験信号に基づく自装置の伝送特性を、前記リングネットワークを周回して前段の伝送装置から取得したか否かを判定する。設定部は、前記自装置の伝送特性を取得した場合に、取得した伝送特性に基づき、前記送信部の送信に関わる制御量を設定する。
【発明の効果】
【００１０】
一つの側面として、リングネットワーク内の伝送装置間で伝送特性を設定する際のネゴシエーションを確保できる。
【図面の簡単な説明】
【００１１】
【図１】図１は、実施例１の光伝送システムの一例を示す説明図である。
【図２】図２は、光伝送システム内の伝送装置の一例を示す説明図である。
【図３】図３は、制御部の機能構成の一例を示す説明図である。
【図４】図４は、番号付与に関わる光伝送システムの処理動作の一例を示す説明図である。
【図５Ａ】図５Ａは、第１の伝送装置のネゴシエーション実行時の処理動作の一例を示す説明図である。
【図５Ｂ】図５Ｂは、第２の伝送装置のネゴシエーション実行時の処理動作の一例を示す説明図である。
【図６Ａ】図６Ａは、第３の伝送装置のネゴシエーション実行時の処理動作の一例を示す説明図である。
【図６Ｂ】図６Ｂは、第４の伝送装置のネゴシエーション実行時の処理動作の一例を示す説明図である。
【図７】図７は、各伝送装置の伝送特性の設定完了の処理動作の一例を示す説明図である。
【図８】図８は、番号付与処理に関わる伝送装置の処理動作の一例を示すフローチャートである。
【図９】図９は、第１のネゴシエーション処理に関わる伝送装置内の制御部の処理動作の一例を示すフローチャートである。
【図１０】図１０は、実施例２の光伝送システム内の伝送装置の一例を示す説明図である。
【図１１】図１１は、制御部の機能構成の一例を示す説明図である。
【図１２】図１２は、第２のネゴシエーション処理に関わる光伝送システムの処理動作の一例を示す説明図である。
【図１３Ａ】図１３Ａは、第２のネゴシエーション処理に関わる光伝送システムの処理動作の一例を示す説明図である。
【図１３Ｂ】図１３Ｂは、第２のネゴシエーション処理に関わる光伝送システムの処理動作の一例を示す説明図である。
【図１４】図１４は、第２のネゴシエーション処理に関わる伝送装置内の制御部の処理動作の一例を示すフローチャートである。
【図１５】図１５は、実施例３の光伝送システムの伝送装置の一例を示す説明図である。
【図１６】図１６は、制御部の機能構成の一例を示す説明図である。
【図１７】図１７は、第３のネゴシエーション処理に関わる光伝送システムの処理動作の一例を示す説明図である。
【図１８Ａ】図１８Ａは、第３のネゴシエーション処理に関わる光伝送システムの処理動作の一例を示す説明図である。
【図１８Ｂ】図１８Ｂは、第３のネゴシエーション処理に関わる光伝送システムの処理動作の一例を示す説明図である。
【図１９】図１９は、第３のネゴシエーション処理に関わる伝送装置内の制御部の処理動作の一例を示すフローチャートである。
【発明を実施するための形態】
【００１２】
以下、図面に基づいて、本願の開示する伝送装置及び設定方法の実施例を詳細に説明する。尚、本実施例により、開示技術が限定されるものではない。また、以下に示す実施例は、矛盾を起こさない範囲で適宜組み合わせても良い。
【実施例１】
【００１３】
図１は、実施例１の光伝送システム１の一例を示す説明図である。図１に示す光伝送システム１は、複数、例えば４台の伝送装置２と、ＮＭＳ（Network  Management  System）３とを有し、複数の伝送装置２間を光伝送路４で接続し、伝送装置２間でＤＭＴ信号を一方向通信で光伝送するシステムである。伝送装置２は、例えば、光メトロネットワークや光アクセスネットワーク、或いは、光コアネットワーク等内に収容された光モジュール等である。
【００１４】
伝送装置２は、例えば、第１の伝送装置２Ａ、第２の伝送装置２Ｂ、第３の伝送装置２Ｃ、第４の伝送装置２Ｄ等のＤＭＴ伝送装置に相当する。光伝送システム１では、第１の伝送装置２Ａ→第２の伝送装置２Ｂ→第３の伝送装置２Ｃ→第４の伝送装置２Ｄ→第１の伝送装置２Ａ→…の経路で一方向にＤＭＴ信号を伝送するリングネットワークである。
【００１５】
各伝送装置２は、送信部（以下、単にＴｘと称する）１０と、受信部（以下、単にＲｘと称する）２０と、制御部３０とを有する。Ｔｘ１０は、複数の異なる周波数のＳＣにデータを割り当て、ＳＣ毎に割り当てられたデータを多値度及び信号パワーの割当量に基づき変調し、ＤＭＴ信号としてデータを光伝送路４に高速伝送する。Ｒｘ２０は、光伝送路４から受信したＤＭＴ信号を復調し、ＳＣに割り当てたデータを分離出力する。制御部３０は、伝送装置２全体を制御する。
【００１６】
また、Ｔｘ１０は、例えば、システム起動時に次段の伝送装置２との間でネゴシエーションを開始し、プローブ信号を光伝送路４経由で次段の伝送装置２に伝送する。尚、プローブ信号は、ネゴシエーションに使用する信号で、例えばＳＣ毎の多値度及び信号パワーの割当量が同一の試験信号である。更に、Ｒｘ２０は、前段の伝送装置２からプローブ信号を受信した場合、プローブ信号に基づき、前段の伝送装置２との間の伝送特性を測定し、その伝送特性を光伝送路４経由で次段の伝送装置２に伝送する。更に、制御部３０は、Ｒｘ２０を通じて自装置の伝送特性を受信した場合、自装置の伝送特性に基づき、ＳＣ毎の多値度及び信号パワーの割当量を決定する。
【００１７】
ＮＭＳ３は、光伝送システム１内の第１の伝送装置２Ａ〜第４の伝送装置２Ｄを監視制御する管理装置である。光伝送路４は、伝送装置２間でＤＭＴ信号を光伝送する、例えば、光ファイバである。
【００１８】
図２は、光伝送システム１内の伝送装置２の一例を示す説明図である。尚、説明の便宜上、第１の伝送装置２Ａについて説明するが、第２の伝送装置２Ｂ、第３の伝送装置２Ｃ及び第４の伝送装置２Ｄも第１の伝送装置２Ａと同一の構成である。従って、その同一の構成には同一符号を付すことで、その重複する構成及び動作の説明については省略する。
【００１９】
図２に示す第１の伝送装置２Ａは、Ｔｘ１０、Ｒｘ２０及び制御部３０の他に、生成部４１と、第１のスイッチ４２と、記憶部４３とを有する。生成部４１は、例えば、プローブ信号や伝送特性等のデータを生成する。第１のスイッチ４２は、受信した伝送特性から自装置の伝送特性を制御部３０に切替出力するスイッチである。記憶部４３は、後述する自装置の識別情報である装置番号等の各種情報を記憶する領域である。
【００２０】
Ｔｘ１０は、分割部１１と、マッピング部１２と、ＩＦＦＴ(Inverse  Fast  Fourier  Transform)１３と、合成部１４と、Ｅ／Ｏ(Electric/Optic)変換部１５と、付加部１６と、第２のスイッチ１７とを有する。分割部１１は、送信データをＤＭＴ信号内のＳＣ本数分のデータに分割する。マッピング部１２は、設定中のＳＣ毎の多値度及び信号パワーの割当量に基づき、各ＳＣに割り当てたデータをマッピングする。ＩＦＦＴ１３は、設定中のＳＣ毎の多値度及び信号パワーの割当量に基づき、マッピング出力のデータを各ＳＣに分解するＩＦＦＴ処理を実行する。合成部１４は、ＩＦＦＴ１３で分解したＳＣ毎のデータを合成してＤＭＴ信号を出力する。Ｅ／Ｏ変換部１５は、ＤＭＴ信号を光変換して光伝送路４に出力する、例えば、ＤＭＬ（Directly  Modulated  Laser）である。
【００２１】
付加部１６は、例えば、ネゴシエーション実行時のプローブ信号や伝送特性等のＤＭＴ信号にラベル情報を付加する。ラベル情報は、例えば、送信端の装置番号と、処理フラグとを有する。送信端の装置番号は、プローブ信号を発信した送信端の伝送装置２を識別する識別情報である。処理フラグは、前段の伝送装置２からのプローブ信号に基づく伝送特性の測定処理が完了したか否かを識別するフラグである。処理フラグは、伝送特性の測定処理が完了した場合に“１”、伝送特性の測定処理が未処理の場合に“０”を立てる。第２のスイッチ１７は、前段の伝送装置２から受信したＤＭＴ信号を復調せずに透過して次段の伝送装置２に伝送する際に使用するスイッチである。
【００２２】
Ｒｘ２０は、Ｏ／Ｅ(Optic/Electric)変換部２１と、分割部２２と、ＦＦＴ（Fast  Fourier  Transform）２３と、デマッピング部２４と、合成部２５と、読取部２６と、第３のスイッチ２７とを有する。Ｏ／Ｅ変換部２１は、前段の伝送装置２からのＤＭＴ信号を受信した場合にＤＭＴ信号を電気変換する、例えばＰＤ（Photo  Diode）である。分割部２２は、ＤＭＴ信号をＳＣ毎のデータに分割する。ＦＦＴ２３は、設定中のＳＣ毎の多値度及び信号パワーの割当量に基づき、分割したＳＣ毎のデータを合成するＩＦＦＴ処理前のデータに復元するＦＦＴ処理を実行する。デマッピング部２４は、ＦＦＴ２３で合成したＳＣ毎のデータをデマッピングしてマッピング前のデータを取得する。合成部２５は、デマッピングした各データを合成してデータを出力する。
【００２３】
読取部２６は、例えば、ネゴシエーション実行時のプローブ信号や伝送特性等のＤＭＴ信号に付加されたラベル情報を読み取る。第３のスイッチ２７は、前段の伝送装置２から受信したＤＭＴ信号を復調せずに透過して次段の伝送装置２に伝送する際に使用するスイッチである。
【００２４】
図３は、制御部３０の機能構成の一例を示す説明図である。図３に示す制御部３０は、依頼部３１と、ラベル制御部３２と、測定部３３と、判定部３４と、取得部３５と、設定部３６と、スイッチ制御部３７とを有する。依頼部３１は、プローブ信号の生成を生成部４１に依頼する。ラベル制御部３２は、ラベル情報を付加する際の付加部１６を制御すると共に、ラベル情報を読み取る際の読取部２６を制御する。測定部３３は、前段の伝送装置２からのプローブ信号に基づき、前段の伝送装置２との間の伝送特性を測定する。判定部３４は、前段の伝送装置２から伝送特性を取得した場合に、伝送特性のラベル情報内の装置番号を参照し、伝送特性が自装置の伝送特性である否かを判定する。取得部３５は、前段の伝送装置２から取得した伝送特性が自装置の伝送特性の場合に自装置の伝送特性を取得する。設定部３６は、取得した自装置の伝送特性に基づき、ＳＣ毎の多値度及び信号パワーの割当量を決定し、決定したＳＣ毎の多値度及び信号パワーの割当量をＴｘ１０に設定する。スイッチ制御部３７は、第１のスイッチ４２、第２のスイッチ１７及び第３のスイッチ２７を切替制御する。スイッチ制御部３７は、前段の伝送装置２からのＤＭＴ信号をＲｘ２０側で復調せずに透過して次段の伝送装置２に伝送する際、Ｒｘ２０内の第３のスイッチ２７とＴｘ１０内の第２のスイッチ１７とを接続する。また、スイッチ制御部３７は、前段の伝送装置２からの伝送特性が自装置の伝送特性の場合、自装置の伝送特性を取得すべく、制御部３０に接続すべく、第１のスイッチ４２を制御する。
【００２５】
実施例１の光伝送システム１の動作について説明する。先ずは、リングネットワーク内の各伝送装置２に装置番号を付与する際の動作について説明する。図４は、番号付与に関わる光伝送システム１の処理動作の一例を示す説明図である。
【００２６】
ＮＭＳ３は、リングネットワークのシステム起動時に、リングネットワーク内の任意の伝送装置２、例えば、第１の伝送装置２Ａに装置番号Ｎを付与する（ステップＳ１１）。第１の伝送装置２Ａは、ＮＭＳ３から装置番号Ｎとして“１”が付与された場合に自装置の装置番号Ｎを“１”に設定する（ステップＳ１２）。尚、制御部３０は、装置番号“１”を記憶部４３に記憶する。第１の伝送装置２Ａは、装置番号Ｎを“１”に設定した場合、装置番号Ｎを＋１インクリメントしてＮ＋１のラベル信号“２”を第２の伝送装置２Ｂに伝送する（ステップＳ１３）。
【００２７】
第２の伝送装置２Ｂは、ラベル信号“２”を受信した場合、ラベル信号“２”で自装置の装置番号Ｎを“２”に設定する（ステップＳ１４）。尚、制御部３０は、装置番号“２”を記憶部４３に記憶する。更に、第２の伝送装置２Ｂは、装置番号Ｎを＋１インクリメントしてＮ＋１のラベル信号“３”を第３の伝送装置２Ｃに伝送する（ステップＳ１５）。第３の伝送装置２Ｃは、ラベル信号“３”を受信した場合、ラベル信号“３”で自装置の装置番号Ｎを“３”に設定する（ステップＳ１６）。尚、制御部３０は、装置番号“３”を記憶部４３に記憶する。更に、第３の伝送装置２Ｃは、装置番号Ｎを＋１インクリメントしてＮ＋１のラベル信号“４”を第４の伝送装置２Ｄに伝送する（ステップＳ１７）。
【００２８】
第４の伝送装置２Ｄは、ラベル信号“４”を受信した場合、ラベル信号“４”で自装置の装置番号Ｎを“４”に設定する（ステップＳ１８）。尚、制御部３０は、装置番号“４”を記憶部４３に記憶する。更に、第４の伝送装置２Ｄは、装置番号Ｎを＋１インクリメントしてＮ＋１のラベル信号“５”を第１の伝送装置２Ａに伝送する（ステップＳ１９）。第１の伝送装置２Ａは、ラベル信号“５”を受信した場合、記憶部４３を参照し、自装置の装置番号が設定済みであるため、ラベル信号“５”を−１デクリメントしてリングネットワーク内の伝送装置２の装置総数“４”を算出する。そして、第１の伝送装置２Ａは、伝送装置２の装置総数をＮＭＳ３に通知する。そして、第１の伝送装置２Ａは、番号付与の動作を終了する。その結果、光伝送システム１内の伝送装置２は、自装置の装置番号を取得できる。
【００２９】
図５Ａは、第１の伝送装置２Ａのネゴシエーション実行時の処理動作の一例を示す説明図である。第１の伝送装置２Ａは、自装置が発信するプローブ信号にラベル情報“０１”を付加する。尚、ラベル情報“０１”は、伝送特性測定処理の未処理を示す処理フラグ“０”、プローブ信号の送信端である第１の伝送装置２Ａの装置番号“１”を有する。第１の伝送装置２Ａは、ラベル情報“０１”を付加したプローブ信号を第２の伝送装置２Ｂに伝送する（ステップＳ２１）。
【００３０】
第２の伝送装置２Ｂは、プローブ信号を受信した場合に、受信したプローブ信号に基づき、第１の伝送装置２Ａとの間の伝送特性“１”を測定する（ステップＳ２２）。つまり、第２の伝送装置２Ｂは、第１の伝送装置２Ａの伝送特性“１”を取得することになる。第２の伝送装置２Ｂは、第１の伝送装置２Ａの伝送特性にラベル情報“１１”を付加する。尚、ラベル情報“１１”は、伝送特性測定処理の完了を示す処理フラグ“１”、送信端である第１の伝送装置２Ａの装置番号“１”を有し、送信端の装置番号は伝送特性の宛先を示すことになる。
【００３１】
第２の伝送装置２Ｂは、ラベル情報“１１”を付加した伝送特性を第３の伝送装置２Ｃに伝送する（ステップＳ２３）。更に、第３の伝送装置２Ｃは、伝送特性を受信した場合、伝送特性に付加したラベル情報“１１”を参照し、送信端の装置番号が自装置の装置番号“３”と同一でないため、その伝送特性を透過して第４の伝送装置２Ｄに伝送する（ステップＳ２４）。第４の伝送装置２Ｄは、伝送特性を受信した場合、伝送特性に付加したラベル情報“１１”を参照し、送信端の装置番号が自装置の装置番号“４”と同一でないため、その伝送特性を透過して第１の伝送装置２Ａに伝送する（ステップＳ２５）。
【００３２】
第１の伝送装置２Ａは、伝送特性を受信した場合、伝送特性に付加したラベル情報“１１”を参照し、送信端の装置番号が自装置の装置番号“１”と同一であるため、自装置の伝送特性“１”を抽出し、抽出した伝送特性“１”を設定する（ステップＳ２６）。その結果、第１の伝送装置２Ａは、第２の伝送装置２Ｂとの間の伝送特性“１”を設定し、設定した伝送特性“１”に基づき、Ｔｘ１０のビットパワーローディング処理を実行する。尚、ビットパワーローディング処理は、伝送特性に基づき、ＳＣ毎の多値度及び信号パワーの割当量等を決定し、その決定した多値度及び割当量等の制御量をＴｘ１０に設定する処理である。
【００３３】
第１の伝送装置２Ａは、第２の伝送装置２Ｂにプローブ信号を送信後、第２の伝送装置２Ｂとの間の伝送特性、すなわち自装置の伝送特性“１”を、第２の伝送装置２Ｂ、第３の伝送装置２Ｃ及び第４の伝送装置２Ｄを経由して取得することになる。
【００３４】
図５Ｂは、第２の伝送装置２Ｂのネゴシエーション実行時の処理動作の一例を示す説明図である。第１の伝送装置２Ａは、自装置の伝送特性が設定した場合、第２の伝送装置２Ｂに対してプローブ信号の送信開始を要求するラベル情報“０２”を第２の伝送装置２Ｂに伝送する（ステップＳ２０Ａ）。尚、ラベル情報“０２”は、伝送特性測定処理の未処理を示す処理フラグ“０”、送信端である第２の伝送装置２Ｂの装置番号“２”を示すものである。第２の伝送装置２Ｂは、ラベル情報“０２”を受信した場合、ラベル情報“０２”を付加したプローブ信号を第３の伝送装置２Ｃに伝送する（ステップＳ２１Ａ）。
【００３５】
第３の伝送装置２Ｃは、プローブ信号を受信した場合に、受信したプローブ信号に基づき、第２の伝送装置２Ｂとの間の伝送特性“２”を測定する（ステップＳ２２Ａ）。つまり、第３の伝送装置２Ｃは、第２の伝送装置２Ｂの伝送特性“２”を取得することになる。第３の伝送装置２Ｃは、伝送特性にラベル情報“１２”を付加する。尚、ラベル情報“１２”は、伝送特性測定処理の完了を示す処理フラグ“１”及び、送信端である第２の伝送装置２Ｂの装置番号“２”を有する。第３の伝送装置２Ｃは、ラベル情報“１２”を付加した伝送特性を第４の伝送装置２Ｄに伝送する（ステップＳ２３Ａ）。更に、第４の伝送装置２Ｄは、伝送特性を受信した場合、伝送特性に付加したラベル情報“１２”を参照し、送信端の装置番号が自装置の装置番号“４”と同一でないため、その伝送特性を透過して第１の伝送装置２Ａに伝送する（ステップＳ２４Ａ）。
【００３６】
第１の伝送装置２Ａは、伝送特性を受信した場合、伝送特性に付加したラベル情報“１２”を参照し、送信端の装置番号が自装置の装置番号“１”と同一でないため、その伝送特性を透過して第２の伝送装置２Ｂに伝送する（ステップＳ２５Ａ）。第２の伝送装置２Ｂは、伝送特性を受信した場合、伝送特性に付加したラベル情報“１２”を参照し、送信端の装置番号が自装置の装置番号“２”と同一であるため、自装置の伝送特性“２”を抽出し、抽出した伝送特性“２”を設定する（ステップＳ２６Ａ）。その結果、第２の伝送装置２Ｂは、第３の伝送装置２Ｃとの間の伝送特性“２”を設定し、設定した伝送特性“２”に基づき、Ｔｘ１０のビットパワーローディング処理を実行する。
【００３７】
第２の伝送装置２Ｂは、第３の伝送装置２Ｃにプローブ信号を送信後、第３の伝送装置２Ｃとの間の伝送特性、すなわち自装置の伝送特性“２”を、第３の伝送装置２Ｃ、第４の伝送装置２Ｄ及び第１の伝送装置２Ａを経由して取得することになる。
【００３８】
図６Ａは、第３の伝送装置２Ｃのネゴシエーション実行時の処理動作の一例を示す説明図である。第２の伝送装置２Ｂは、自装置の伝送特性が設定した場合、第３の伝送装置２Ｃに対してプローブ信号の送信開始を要求するラベル情報“０３”を第３の伝送装置２Ｃに伝送する（ステップＳ２０Ｂ）。尚、ラベル情報“０３”は、伝送特性測定処理の未処理を示す処理フラグ“０”、送信端である第３の伝送装置２Ｃの装置番号“３”を有する。第３の伝送装置２Ｃは、ラベル情報“０３”を受信した場合、ラベル情報“０３”を付加したプローブ信号を第４の伝送装置２Ｄに伝送する（ステップＳ２１Ｂ）。
【００３９】
第４の伝送装置２Ｄは、プローブ信号を受信した場合に、受信したプローブ信号に基づき、第３の伝送装置２Ｃとの間の伝送特性“３”を測定する（ステップＳ２２Ｂ）。つまり、第４の伝送装置２Ｄは、第３の伝送装置２Ｃの伝送特性“３”を取得することになる。第４の伝送装置２Ｄは、伝送特性にラベル情報“１３”を付加する。尚、ラベル情報“１３”は、伝送特性測定処理の完了を示す処理フラグ“１”、送信端である第３の伝送装置２Ｃの装置番号“３”を有する。第４の伝送装置２Ｄは、ラベル情報“１３”を付加した伝送特性を第１の伝送装置２Ａに伝送する（ステップＳ２３Ｂ）。更に、第１の伝送装置２Ａは、伝送特性を受信した場合、伝送特性に付加したラベル情報“１３”を参照し、送信端の装置番号が自装置の装置番号“１”と同一でないため、その伝送特性を透過して第２の伝送装置２Ｂに伝送する（ステップＳ２４Ｂ）。
【００４０】
第２の伝送装置２Ｂは、伝送特性を受信した場合、伝送特性に付加したラベル情報“１３”を参照し、送信端の装置番号が自装置の装置番号“２”と同一でないため、その伝送特性を透過して第３の伝送装置２Ｃに伝送する（ステップＳ２５Ｂ）。第３の伝送装置２Ｃは、伝送特性を受信した場合、伝送特性に付加したラベル情報“１３”を参照し、送信端の装置番号が自装置の装置番号“３”と同一であるため、自装置の伝送特性“３”を抽出し、抽出した伝送特性“３”を設定する（ステップＳ２６Ｂ）。その結果、第３の伝送装置２Ｃは、第４の伝送装置２Ｄとの間の伝送特性を設定し、設定した伝送特性“３”に基づき、Ｔｘ１０のビットパワーローディング処理を実行する。
【００４１】
第３の伝送装置２Ｃは、第４の伝送装置２Ｄにプローブ信号を送信後、第４の伝送装置２Ｄとの間の伝送特性、すなわち自装置の伝送特性“３”を、第４の伝送装置２Ｄ、第１の伝送装置２Ａ及び第２の伝送装置２Ｂを経由して取得することになる。
【００４２】
図６Ｂは、第４の伝送装置２Ｄのネゴシエーション実行時の処理動作の一例を示す説明図である。第３の伝送装置２Ｃは、自装置の伝送特性が設定した場合、第４の伝送装置２Ｄに対してプローブ信号の送信開始を要求するラベル情報“０４”を第４の伝送装置２Ｄに伝送する（ステップＳ２０Ｃ）。尚、ラベル情報“０４”は、伝送特性測定処理の完了を示す処理フラグ“０”、送信端である第４の伝送装置２Ｄの装置番号“４”を有する。第４の伝送装置２Ｄは、ラベル情報“０４”を受信した場合、ラベル情報“０４”を付加したプローブ信号を第１の伝送装置２Ａに伝送する（ステップＳ２１Ｃ）。
【００４３】
第１の伝送装置２Ａは、プローブ信号を受信した場合に、受信したプローブ信号に基づき、第４の伝送装置２Ｄとの間の伝送特性“４”を測定する（ステップＳ２２Ｃ）。つまり、第１の伝送装置２Ａは、第４の伝送装置２Ｄの伝送特性“４”を取得することになる。第１の伝送装置２Ａは、伝送特性にラベル情報“１４”を付加する。尚、ラベル情報“１４”は、伝送特性測定処理の完了を示す処理フラグ“１”及び、送信端である第４の伝送装置２Ｄを示す装置番号“４”を有する。第１の伝送装置２Ａは、ラベル情報“１４”を付加した伝送特性を第２の伝送装置２Ｂに伝送する（ステップＳ２３Ｃ）。更に、第２の伝送装置２Ｂは、伝送特性を受信した場合、伝送特性に付加したラベル情報“１４”を参照し、送信端の装置番号が自装置の装置番号“２”と同一でないため、その伝送特性を透過して第３の伝送装置２Ｃに伝送する（ステップＳ２４Ｃ）。
【００４４】
第３の伝送装置２Ｃは、伝送特性を受信した場合、伝送特性に付加したラベル情報“１４”を参照し、送信端の装置番号が自装置の装置番号“３”と同一でないため、その伝送特性を透過して第４の伝送装置２Ｄに伝送する（ステップＳ２５Ｃ）。第４の伝送装置２Ｄは、伝送特性を受信した場合、伝送特性に付加したラベル情報“１４”を参照し、送信端の装置番号が自装置の装置番号“４”と同一であるため、自装置の伝送特性“４”を抽出し、抽出した伝送特性“４”を設定する（ステップＳ２６Ｃ）。その結果、第４の伝送装置２Ｄは、自装置の伝送特性を設定し、設定した伝送特性“４”に基づき、Ｔｘ１０のビットパワーローディング処理を実行する。
【００４５】
第４の伝送装置２Ｄは、第１の伝送装置２Ａにプローブ信号を送信後、第１の伝送装置２Ａとの間の伝送特性、すなわち自装置の伝送特性“４”を、第１の伝送装置２Ａ、第２の伝送装置２Ｂ及び第３の伝送装置２Ｃを経由して取得することになる。
【００４６】
図７は、各伝送装置２の伝送特性の設定完了の処理動作の一例を示す説明図である。図７に示す第４の伝送装置２Ｄは、自装置の伝送特性“４”の設定が完了した場合、次段の伝送装置２にプローブ信号の送信開始を要求すべく、ラベル情報“０５”を第１の伝送装置２Ａに伝送する（ステップＳ３１）。尚、ラベル情報“０５”は、処理フラグ“０”及び送信端の伝送装置を識別する装置番号“５”である。
【００４７】
第１の伝送装置２Ａは、ラベル情報“０５”を受信した場合、ラベル情報“０５”を参照し、送信端の装置番号が装置総数を超えているため、そのラベル情報を透過して第２の伝送装置２Ｂに伝送すると共に、ネゴシエーション動作を終了する（ステップＳ３２）。尚、装置総数は、リングネットワーク内に収容中の伝送装置２の装置総数、例えば、図７の場合、“４”である。装置総数は、ＮＭＳ３から取得するものである。
【００４８】
第２の伝送装置２Ｂは、ラベル情報“０５”を受信した場合、ラベル情報“０５”を参照し、送信端の装置番号が装置総数を超えているため、そのラベル情報を透過して第３の伝送装置２Ｃに伝送すると共に、ネゴシエーション動作を終了する（ステップＳ３３）。第３の伝送装置２Ｃは、ラベル情報“０５”を受信した場合、ラベル情報“０５”を参照し、送信端の装置番号が装置総数を超えているため、そのラベル情報を透過して第４の伝送装置２Ｄに伝送すると共に、ネゴシエーション動作を終了する（ステップＳ３４）。第４の伝送装置２Ｄは、ラベル情報“０５”を受信した場合、ラベル情報“０５”を参照し、送信端の装置番号が装置総数を超えているため、ネゴシエーション動作を終了する。
【００４９】
図８は、番号付与処理に関わる伝送装置２の処理動作の一例を示すフローチャートである。図８に示す番号付与処理は、図４に示すようにリングネットワーク内の各伝送装置２に装置番号を付与する処理である。
【００５０】
図８において伝送装置２は、ＮＭＳ３から装置番号“Ｎ”を検出したか否かを判定する（ステップＳ４１）。伝送装置２は、ＮＭＳ３から装置番号“Ｎ”を検出した場合（ステップＳ４１肯定）、自装置の装置番号“Ｎ”を設定する（ステップＳ４２）。伝送装置２は、装置番号“Ｎ”を設定後、装置番号“Ｎ”を＋１インクリメントした“ｍ”をラベル信号に設定する（ステップＳ４３）。伝送装置２は、設定したラベル信号“ｍ”を次段の伝送装置２に伝送し（ステップＳ４４）、図８に示す処理動作を終了する。
【００５１】
伝送装置２は、装置番号“Ｎ”を検出しなかった場合（ステップＳ４１否定）、前段の伝送装置２からラベル信号“ｍ”を受信したか否かを判定する（ステップＳ４５）。伝送装置２は、ラベル信号“ｍ”を受信した場合（ステップＳ４５肯定）、自装置が装置番号を設定済みであるか否かを判定する（ステップＳ４６）。
【００５２】
伝送装置２は、自装置が装置番号を設定済みでない場合（ステップＳ４６否定）、ラベル信号“ｍ”を装置番号“Ｎ”に設定し（ステップＳ４７）、装置番号“Ｎ”を＋１インクリメントした“ｍ”をラベル信号に設定する（ステップＳ４８）。更に、伝送装置２は、設定したラベル信号を次段の伝送装置２に伝送し（ステップＳ４９）、図８に示す処理動作を終了する。伝送装置２は、前段の伝送装置２からラベル信号“ｍ”を受信しなかった場合（ステップＳ４５否定）、ＮＭＳ３から装置番号“Ｎ”を検出したか否かを判定すべく、ステップＳ４１に移行する。
【００５３】
伝送装置２は、自装置が装置番号設定済みの場合（ステップＳ４６肯定）、ラベル信号“ｍ”を−１デクリメントした数をリングネットワーク内の伝送装置２の装置総数とし（ステップＳ５０）、装置総数をＮＭＳ３に通知する（ステップＳ５１）。そして、図８に示す処理動作を終了する。
【００５４】
図８に示す番号付与処理を実行する伝送装置２は、自装置の装置番号を＋１インクリメントしてラベル信号を次段の伝送装置２に伝送する。次段の伝送装置２は、受信したラベル信号で自装置の装置番号を設定する。その結果、光伝送システム１は、リングネットワーク内の各伝送装置２にラベル信号を転送することで自装置の装置番号を設定できる。
【００５５】
伝送装置２は、リングネットワーク内の前段の伝送装置２からラベル信号を受信し、自装置の装置番号が未設定の場合に、受信したラベル信号を装置番号に設定する。その結果、伝送装置２は、自装置の装置番号を設定できる。
【００５６】
伝送装置２は、受信したラベル信号を装置番号に設定した場合、自装置の装置番号を＋１インクリメントした値のラベル信号を次段の伝送装置２に伝送する。その結果、伝送装置２は、次段の伝送装置２にラベル信号を伝送できる。
【００５７】
伝送装置２は、前段の伝送装置２からラベル信号を受信し、自装置の装置番号が設定済みの場合に、受信したラベル信号の番号を−１デクリメントして装置総数とし、その装置総数をＮＭＳ３に通知する。その結果、ＮＭＳ３は、リングネットワーク内の伝送装置２の装置総数を認識できる。
【００５８】
図９は、第１のネゴシエーション処理に関わる伝送装置２内の制御部３０の処理動作の一例を示すフローチャートである。図９に示す第１のネゴシエーション処理では、図５Ａ、図５Ｂ、図６Ａ、図６Ｂ及び図７に示すようにリングネットワーク内の伝送装置２毎の伝送特性を設定する処理である。
【００５９】
図９において伝送装置２内の制御部３０内の依頼部３１は、ＮＭＳ３からネゴシエーション開始の要求を検出したか否かを判定する（ステップＳ６１）。依頼部３１は、ネゴシエーション開始の要求を検出した場合（ステップＳ６１肯定）、プローブ信号を生成する（ステップＳ６２）。制御部３０内のラベル制御部３２は、ラベル情報“０ｍ”を生成する（ステップＳ６３）。ラベル制御部３２は、付加部１６にてプローブ信号にラベル情報“０ｍ”を付加し（ステップＳ６４）、ラベル情報“０ｍ”が付加されたプローブ信号を次段の伝送装置２に伝送し（ステップＳ６５）、図９に示す処理動作を終了する。
【００６０】
制御部３０は、ＮＭＳ３からネゴシエーション開始の要求を検出したのでない場合（ステップＳ６１否定）、前段の伝送装置２からラベル情報を受信したか否かを判定する（ステップＳ６６）。制御部３０は、前段の伝送装置２からラベル情報を受信した場合（ステップＳ６６肯定）、読取部２６を通じてラベル情報内の処理フラグが“０”であるか否かを判定する（ステップＳ６７）。制御部３０は、ラベル情報内の処理フラグが“０”の場合（ステップＳ６７肯定）、プローブ信号に基づく伝送特性測定処理が未処理と判断し、ラベル情報内の装置番号ｍが自装置の装置番号と同一であるか否かを判定する（ステップＳ６８）。
【００６１】
制御部３０は、ラベル情報内の装置番号ｍが自装置の装置番号と同一の場合（ステップＳ６８肯定）、プローブ信号を生成し（ステップＳ６９）、ラベル情報“０ｍ”を生成する（ステップＳ７０）。尚、ラベル情報の装置番号は、自装置の装置番号ｍを付加するものとする。ラベル制御部３２は、付加部１６にてプローブ信号にラベル情報を付加し（ステップＳ７１）、ラベル情報を付加したプローブ信号を次段の伝送装置２に伝送し（ステップＳ７２）、図９に示す処理動作を終了する。
【００６２】
制御部３０は、ラベル情報内の装置番号が自装置の装置番号と同一でない場合（ステップＳ６８否定）、前段の伝送装置２から受信したラベル情報にプローブ信号があるか否かを判定する（ステップＳ７３）。制御部３０内の測定部３３は、前段の伝送装置２から受信したラベル情報にプローブ信号がある場合（ステップＳ７３肯定）、プローブ信号に基づき、前段の伝送装置２との間の伝送特性を測定する（ステップＳ７４）。測定部３３は、前段の伝送装置２との間の伝送特性を測定した場合、伝送特性を生成し（ステップＳ７５）、ラベル情報“１ｍ”を生成する（ステップＳ７６）。尚、ラベル情報は、伝送特性測定処理の完了と判断し、処理フラグを“１”に設定すると共に、伝送特性に関わるプローブ信号の送信端の伝送装置２の装置番号ｍを設定する。
【００６３】
ラベル制御部３２は、付加部１６にて伝送特性にラベル情報“１ｍ”を付加し（ステップＳ７７）、ラベル情報が付加された伝送特性を次段の伝送装置２に伝送し（ステップＳ７８）、図９に示す処理動作を終了する。制御部３０は、プローブ信号がない場合（ステップＳ７３否定）、ラベル情報内の装置番号ｍが装置総数を超えたか否かを判定する（ステップＳ７９）。制御部３０内のスイッチ制御部３７は、ラベル情報内の装置番号ｍが装置総数を超えなかった場合（ステップＳ７９否定）、ラベル情報を次段の伝送装置２に透過して伝送し（ステップＳ８０）、図９に示す処理動作を終了する。制御部３０は、ラベル情報内の装置番号ｍが装置総数を超えた場合（ステップＳ７９肯定）、図９に示す処理動作を終了する。
【００６４】
制御部３０は、前段の伝送装置２から受信したラベル情報内の処理フラグが“０”でない場合（ステップＳ６７否定）、処理フラグ“１”と判断し、ラベル情報に伝送特性が付加されていると判断する。そして、制御部３０内の判定部３４は、ラベル情報内の装置番号ｍが自装置の装置番号と同一であるか否かを判定する（ステップＳ８１）。
【００６５】
制御部３０内の取得部３５は、ラベル情報内の装置番号が自装置の装置番号と同一の場合（ステップＳ８１肯定）、受信したラベル情報が付加された伝送特性を抽出する（ステップＳ８２）。尚、取得部３５は、スイッチ制御部３７を通じて第１のスイッチ４２を制御部３０側に切替接続することで、伝送特性を抽出する。制御部３０内の設定部３６は、抽出した伝送特性に基づき、ビットパワーローディング処理を実行し（ステップＳ８３）、図９に示す処理動作を終了する。
【００６６】
スイッチ制御部３７は、ラベル情報内の装置番号が自装置の装置番号と同一でない場合（ステップＳ８１否定）、受信したラベル情報及び伝送特性を次段の伝送装置２に透過して伝送し（ステップＳ８４）、図９に示す処理動作を終了する。制御部３０は、前段の伝送装置２からラベル情報を受信しなかった場合（ステップＳ６６否定）、図９に示す処理動作を終了する。
【００６７】
図９に示す第１の伝送特性設定処理を実行する伝送装置２は、前段の伝送装置２からラベル情報を受信し、ラベル情報内の処理フラグが“０”及び装置番号が自装置の場合、自装置の装置番号のラベル情報をプローブ信号に付加して次段の伝送装置２に伝送する。その結果、伝送装置２は、ラベル情報を参照してプローブ信号の生成有無を判定できる。
【００６８】
伝送装置２は、前段の伝送装置２からラベル情報を受信し、ラベル情報内の処理フラグが“０”及び装置番号が自装置と同一でなく、プローブ信号を有する場合、プローブ信号に基づき、前段の伝送装置２との間の伝送特性を測定する。その結果、伝送装置２は、ラベル情報を参照して伝送特性を測定するか否かを判定できる。
【００６９】
伝送装置２は、前段の伝送装置２からラベル情報を受信し、ラベル情報内の処理フラグが“０”及び装置番号が自装置と同一でなく、プローブ信号を有しない場合、ラベル情報内の装置番号が装置総数を超えたか否かを判定する。そして、伝送装置２は、ラベル情報内の装置番号が装置総数を超えていない場合、ラベル情報を透過して次段の伝送装置２に伝送する。その結果、伝送装置２は、自装置で不要なラベル情報を復調するような処理負担を軽減できる。
【００７０】
伝送装置２は、前段の伝送装置２からラベル情報を受信し、ラベル情報内の処理フラグが“１”及び装置番号が自装置と同一の場合、自装置の伝送特性を抽出し、抽出した伝送特性に基づき、ＳＣ毎の多値度及び信号パワーの割当量を決定する。その結果、伝送装置２は、ラベル情報を参照し、自装置の伝送特性に基づき、ビットパワーローディング処理を実行する。
【００７１】
伝送装置２は、前段の伝送装置２からラベル情報を受信し、ラベル情報内の処理フラグが“１”及び装置番号が自装置と同一でない場合、ラベル情報及び伝送特性を透過して次段の伝送装置２に伝送する。その結果、伝送装置２は、自装置で不要なラベル情報及び伝送特性を復調するような処理負担を軽減できる。
【００７２】
実施例１の伝送装置２は、次段の伝送装置２側で測定した自装置の伝送特性を、リングネットワークを周回して前段の伝送装置２から取得した場合、取得した伝送特性に基づき、ビットパワーローディング処理を実行する。その結果、リングネットワークであっても、伝送装置間のネゴシエーションを確保できる。しかも、ネゴシエーションが確保できるため、装置特性や光伝送路４の特性等が劣化した場合でも、その伝送エラーの発生を効率良く抑制できる。
【００７３】
伝送装置２は、前段の伝送装置２からプローブ信号を受信した場合に当該プローブ信号に基づく伝送特性を測定し、その伝送特性に、プローブ信号の送信端の伝送装置２の装置番号を付加する。更に、伝送装置２は、装置番号が付加された伝送特性を、リングネットワークを周回して送信端の伝送装置２に送信すべく、次段の伝送装置２に伝送する。その結果、伝送装置２は、装置番号を参照して自装置の伝送特性を特定できる。
【００７４】
尚、上記実施例１では、伝送装置２毎にプローブ信号を次段の伝送装置２に伝送し、次段の伝送装置２で送信端の伝送装置２との間の伝送特性を測定し、その伝送特性を、リングネットワークを周回して送信端の伝送装置２に伝送した。その結果、１台の伝送装置２がプローブ信号の送信開始から伝送特性を設定するまでのリングネットワークの周回数は１回である。つまり、例えば、リングネットワーク内の伝送装置２の装置総数が４台の場合、全伝送装置２の伝送特性を設定するまでのリングネットワークの周回数は４回となる。そこで、伝送特性を設定するまでのリングネットワーク内の周回数を削減できる光伝送システム１の実施の形態につき、実施例２として以下に説明する。尚、実施例１の光伝送システム１と同一の構成には同一符号を付すことで、その重複する構成及び動作の説明については省略する。
【実施例２】
【００７５】
図１０は、実施例２の光伝送システム１Ａ内の伝送装置２の一例を示す説明図である。図１０に示す伝送装置２と図２に示す伝送装置２とが異なるところは、Ｔｘ１０から付加部１６及び第２のスイッチ１７、Ｒｘ２０から読取部２６及び第３のスイッチ２７を削除した点にある。
【００７６】
リングネットワーク内の各伝送装置２は、第１のタイミングでプローブ信号を次段の伝送装置２に伝送する。尚、第１のタイミングは、例えば、ＮＭＳ３からのネゴシエーション開始の要求を検出したタイミングである。次段の伝送装置２は、前段の伝送装置２からのプローブ信号を受信した場合に、送信端の伝送装置２との間の伝送特性を測定し、その伝送特性を記憶部４３に記憶する。
【００７７】
更に、伝送装置２は、送信端の伝送装置２の伝送特性を記憶した後、第２のタイミングで記憶中の伝送特性を次段の伝送装置２に伝送し、各伝送装置２の伝送特性を順次連結して各送信端の伝送装置２に順次伝送する。尚、第２のタイミングは、例えば、プローブ信号の送信開始から伝送特性の測定処理が完了するまでに十分な所定時間を経過したタイミングである。そして、各送信端の伝送装置２は、連結した伝送特性から自装置の伝送特性を抽出し、抽出した自装置の伝送特性に基づき、ビットパワーローディング処理を実行する。
【００７８】
図１１は、制御部３０Ａの機能構成の一例を示す説明図である。図１１に示す制御部３０Ａは、依頼部３１Ａと、測定部３３Ａと、判定部３４Ａと、取得部３５Ａと、設定部３６Ａと、スイッチ制御部３７Ａと、連結部３８Ａとを有する。依頼部３１Ａは、プローブ信号の生成を生成部４１に依頼する。測定部３３Ａは、前段の伝送装置２からのプローブ信号に基づき、前段の伝送装置２との間の伝送特性を測定すると共に、測定した伝送特性を記憶部４３に記憶する。判定部３４Ａは、所定の連結順序に基づき、受信した伝送特性内に自装置の伝送特性があるか否かを判定する。取得部３５Ａは、所定の連結順序に基づき、連結した複数の伝送特性から自装置の伝送特性を取得する。設定部３６Ａは、取得した自装置の伝送特性に基づき、ＳＣ毎の多値度及び信号パワーの割当量を決定し、決定したＳＣ毎の多値度及び信号パワーの割当量をＴｘ１０に設定する。スイッチ制御部３７Ａは、第１のスイッチ４２を切替制御する。連結部３８Ａは、リングネットワーク内の各伝送装置２の伝送特性を所定の連結順序で連結する。記憶部４３は、装置番号を記憶する領域の他に、測定部３３にて測定した測定特性を記憶する領域と、送信フラグを記憶する領域を有する。
【００７９】
次に実施例２の光伝送システム１Ａの動作について説明する。図１２、図１３Ａ及び図１３Ｂは、第２のネゴシエーション処理に関わる光伝送システムの処理動作の一例を示す説明図である。図１２に示す第１の伝送装置２Ａは、第１のタイミング、例えば、ＮＭＳ３からネゴシエーション開始の要求を検出した場合、プローブ信号を次段の第２の伝送装置２Ｂに伝送する（ステップＳ１０１）。第２の伝送装置２Ｂは、第１の伝送装置２Ａからのプローブ信号を受信した場合、プローブ信号に基づき、第１の伝送装置２Ａとの間の伝送特性“１”を測定する（ステップＳ１０２）。そして、第２の伝送装置２Ａは、第１の伝送装置２Ａの伝送特性“１”を記憶部４３に記憶する。
【００８０】
第２の伝送装置２Ｂは、ＮＭＳ３からネゴシエーション開始の要求を検出した場合、プローブ信号を次段の第３の伝送装置２Ｃに伝送する（ステップＳ１０３）。第３の伝送装置２Ｃは、第２の伝送装置２Ｂからのプローブ信号を受信した場合、プローブ信号に基づき、第２の伝送装置２Ｂとの間の伝送特性“２”を測定する（ステップＳ１０４）。そして、第３の伝送装置２Ｃは、第２の伝送装置２Ｂの伝送特性“２”を記憶部４３に記憶する。
【００８１】
第３の伝送装置２Ｃは、ＮＭＳ３からネゴシエーション開始の要求を検出した場合、プローブ信号を次段の第４の伝送装置２Ｄに伝送する（ステップＳ１０５）。第４の伝送装置２Ｄは、第３の伝送装置２Ｃからのプローブ信号を受信した場合、プローブ信号に基づき、第３の伝送装置２Ｃとの間の伝送特性“３”を測定する（ステップＳ１０６）。そして、第４の伝送装置２Ｄは、第３の伝送装置２Ｃの伝送特性“３”を記憶部４３に記憶する。
【００８２】
第４の伝送装置２Ｄは、ＮＭＳ３からネゴシエーション開始の要求を検出した場合、プローブ信号を次段の第１の伝送装置２Ａに伝送する（ステップＳ１０７）。第１の伝送装置２Ａは、第４の伝送装置２Ｄからのプローブ信号を受信した場合、プローブ信号に基づき、第４の伝送装置２Ｄとの間の伝送特性“４”を測定する（ステップＳ１０８）。そして、第１の伝送装置２Ａは、第４の伝送装置２Ｄの伝送特性“４”を記憶部４３に記憶する。
【００８３】
図１３Ａに示す第１の伝送装置２Ａは、第２のタイミングを検出した場合、記憶部４３に記憶中の第４の伝送装置２Ｄの伝送特性“４”を第２の伝送装置２Ｂに伝送する（ステップＳ１１１）。尚、第２のタイミングは、例えば、プローブ信号の送信開始から伝送特性の測定処理完了までに十分な所定時間を経過したタイミングである。そして、第１の伝送装置２Ａは、送信フラグを“１”に設定する（ステップＳ１１２）。
【００８４】
第２の伝送装置２Ｂは、第４の伝送装置２Ｄの伝送特性を受信した場合、第４の伝送装置２Ｄの伝送特性“４”の後部に、記憶部４３に記憶中の第１の伝送装置２Ａの伝送特性“１”を連結し、連結した伝送特性を第３の伝送装置２Ｃに伝送する（ステップＳ１１３）。尚、連結した伝送特性は、第４の伝送装置２Ｄの伝送特性“４”及び第１の伝送装置２Ａの伝送特性“１”の順に連結したことになる。そして、第２の伝送装置２Ｂは、送信フラグを“１”に設定する（ステップＳ１１４）。第３の伝送装置２Ｃは、第２の伝送装置２Ｂから伝送特性を受信した場合、第１の伝送装置２Ａの伝送特性“１”の後部に、記憶部４３に記憶中の第２の伝送装置２Ｂの伝送特性“２”を連結し、連結した伝送特性を第４の伝送装置２Ｄに伝送する（ステップＳ１１５）。尚、連結した伝送特性は、第４の伝送装置２Ｄの伝送特性“４”、第１の伝送装置２Ａの伝送特性“１”及び第２の伝送装置２Ｂの伝送特性“２”の順に連結したことになる。そして、第３の伝送装置２Ｃは、送信フラグを“１”に設定する（ステップＳ１１６）。
【００８５】
第４の伝送装置２Ｄは、第３の伝送装置２Ｃから伝送特性を受信した場合、第２の伝送装置２Ｂの伝送特性“２”の後部に、記憶部４３に記憶中の第３の伝送装置２Ｃの伝送特性“３”を連結し、連結した伝送特性を第１の伝送装置２Ａに伝送する（ステップＳ１１７）。尚、連結した伝送特性は、第４の伝送装置２Ｄの伝送特性“４”、第１の伝送装置２Ａの伝送特性“１”、第２の伝送装置２Ｂの伝送特性“２”及び第３の伝送装置２Ｃの伝送特性“３”の順に連結したことになる。そして、第４の伝送装置２Ｄは、送信フラグを“１”に設定する（ステップＳ１１８）。
【００８６】
各伝送装置２は、記憶部４３に記憶中の前段の伝送装置２の伝送特性を次段の伝送装置２に転送し、所定の連結順序で各伝送装置２の伝送特性を連結し、リングネットワーク内の１周回で全伝送装置２の伝送特性を伝送できる。
【００８７】
図１３Ｂに示す第１の伝送装置２Ａは、送信フラグが“１”の状態で、第４の伝送装置２Ｄから連結した伝送特性を受信した場合、連結順序に基づき、伝送特性から自装置の伝送特性“１”を抽出する（ステップＳ１２１）。尚、第１の伝送装置２Ａの伝送特性“１”の連結順序は、例えば、伝送特性が４個連結した場合、２番目である。第１の伝送装置２Ａは、抽出した自装置の伝送特性“１”を設定し（ステップＳ１２２）、残りの伝送特性を第２の伝送装置２Ｂに伝送する（ステップＳ１２３）。第２の伝送装置２Ｂは、送信フラグが“１”の状態で、第１の伝送装置２Ａから連結した伝送特性を受信した場合、連結順序に基づき、伝送特性から自装置の伝送特性“２”を抽出する（ステップＳ１２４）。尚、第２の伝送装置２Ｂの伝送特性“２”の連結順序は、例えば、伝送特性が４個連結した場合、３番目である。第２の伝送装置２Ｂは、抽出した自装置の伝送特性“２”を設定し（ステップＳ１２５）、残りの伝送特性を第３の伝送装置２Ｃに伝送する（ステップＳ１２６）。
【００８８】
第３の伝送装置２Ｃは、送信フラグが“１”の状態で、第２の伝送装置２Ｂから伝送特性を受信した場合、連結順序に基づき、伝送特性から自装置の伝送特性“３”を抽出する（ステップＳ１２７）。尚、第３の伝送装置２Ｃの伝送特性“３”の連結順序は、例えば、伝送特性が４個連結した場合、４番目である。第３の伝送装置２Ｃは、抽出した自装置の伝送特性“３”を設定し（ステップＳ１２８）、残りの伝送特性を第４の伝送装置２Ｄに伝送する（ステップＳ１２９）。第４の伝送装置２Ｄは、送信フラグが“１”の状態で、第３の伝送装置２Ｃから伝送特性を受信した場合、連結順序に基づき、伝送特性から自装置の伝送特性“４”を抽出する（ステップＳ１３０）。尚、第４の伝送装置２Ｄの伝送特性“４”の連結順序は、例えば、伝送特性が４個連結した場合、１番目である。第４の伝送装置２Ｄは、抽出した自装置の伝送特性“４”を設定し（ステップＳ１３１）、図１６Ｂに示す処理動作を終了する。
【００８９】
各伝送装置２は、各伝送装置２の伝送特性を所定の連結順序に連結しているため、所定の連結順序に基づき、連結した伝送特性から自装置の伝送特性を抽出し、抽出した伝送特性を設定する。その結果、伝送装置２は、装置番号がなくても、自装置の伝送特性を抽出できる。
【００９０】
図１４は、第２のネゴシエーション処理に関わる伝送装置２内の制御部３０Ａの処理動作の一例を示すフローチャートである。図１４に示す第２のネゴシエーション処理では、図１２、図１３Ａ及び図１３Ｂに示すように、リングネットワーク内の各伝送装置２の伝送特性を設定する処理である。
【００９１】
図１４において各伝送装置２内の制御部３０Ａ内の依頼部３１Ａは、第１のタイミングを検出したか否かを判定する（ステップＳ１４１）。尚、第１のタイミングは、例えば、ＮＭＳ３からのネゴシエーション開始の要求を検出したタイミングである。依頼部３１Ａは、第１のタイミングを検出した場合（ステップＳ１４１肯定）、プローブ信号を生成し（ステップＳ１４２）、プローブ信号を次段の伝送装置２に伝送し（ステップＳ１４３）、図１４に示す処理動作を終了する。
【００９２】
制御部３０Ａ内の測定部３３Ａは、第１のタイミングを検出したのでない場合（ステップＳ１４１否定）、前段の伝送装置２からプローブ信号を受信したか否かを判定する（ステップＳ１４４）。測定部３３Ａは、前段の伝送装置２からプローブ信号を受信した場合（ステップＳ１４４肯定）、プローブ信号に基づき前段の伝送装置２との間の伝送特性を測定する（ステップＳ１４５）。そして、測定部３３Ａは、前段の伝送装置２の伝送特性を記憶部４３に記憶し（ステップＳ１４６）、図１４に示す処理動作を終了する。
【００９３】
制御部３０Ａは、前段の伝送装置２からプローブ信号を受信しなかった場合（ステップＳ１４４否定）、第２のタイミングを検出したか否かを判定する（ステップＳ１４７）。尚、第２のタイミングは、例えば、プローブ信号の送信開始から次段の伝送装置２側で伝送特性の測定処理が完了するまでに十分な所定時間を経過したタイミングである。制御部３０Ａ内の連結部３８Ａは、第２のタイミングを検出した場合（ステップＳ１４７肯定）、記憶部４３に記憶中の伝送特性を抽出する（ステップＳ１４８）。連結部３８Ａは、抽出した伝送特性を次段の伝送装置２に伝送し（ステップＳ１４９）、伝送特性の送信完了を示すべく、送信フラグを“１”に設定し（ステップＳ１５０）、図１４に示す処理動作を終了する。
【００９４】
連結部３８Ａは、第２のタイミングを検出したのでない場合（ステップＳ１４７否定）、前段の伝送装置２から伝送特性を受信したか否かを判定する（ステップＳ１５１）。連結部３８Ａは、前段の伝送装置２から伝送特性を受信した場合（ステップＳ１５１肯定）、送信フラグが“１”であるか否かを判定する（ステップＳ１５２）。連結部３８Ａは、送信フラグが“１”でない場合（ステップＳ１５２否定）、送信フラグが“０”、すなわち伝送特性の送信未完と判断する。そして、連結部３８Ａは、記憶部４３に記憶中の伝送特性を抽出し（ステップＳ１５３）、抽出した伝送特性を受信した伝送特性の後部に連結する（ステップＳ１５４）。尚、各伝送装置２は、送信端の伝送装置２宛の伝送特性を所定の連結順序で連結する。伝送装置２は、連結後の伝送特性を次段の伝送装置２に伝送し（ステップＳ１５５）、送信フラグを“１”に設定し（ステップＳ１５６）、図１４に示す処理動作を終了する。
【００９５】
制御部３０Ａ内の判定部３４Ａは、送信フラグが“１”の場合（ステップＳ１５２肯定）、受信した伝送特性内に自装置の伝送特性があるか否かを判定する（ステップＳ１５７）。制御部３０Ａ内の取得部３５Ａは、受信した伝送特性内に自装置の伝送特性がある場合（ステップＳ１５７肯定）、自装置の伝送特性を抽出する（ステップＳ１５８）。制御部３０Ａは、自装置の伝送特性を抽出後、受信した伝送特性内に残りの伝送特性があるか否かを判定する（ステップＳ１５９）。制御部３０Ａは、残りの伝送特性がある場合（ステップＳ１５９肯定）、残りの伝送特性を次段の伝送装置２に伝送し（ステップＳ１６０）、図１４に示す処理動作を終了する。
【００９６】
制御部３０Ａは、残りの伝送特性がない場合（ステップＳ１５９否定）、図１４に示す処理動作を終了する。制御部３０Ａは、受信した伝送特性内に自装置の伝送特性がない場合（ステップＳ１５７否定）、受信した伝送特性を次段の伝送装置２に伝送し（ステップＳ１６１）、図１４に示す処理動作を終了する。また、制御部３０Ａは、前段の伝送装置２から伝送特性を受信しなかった場合（ステップＳ１５１否定）、図１４に示す処理動作を終了する。
【００９７】
図１４に示す第２のネゴシエーション処理を実行する各伝送装置２は、第１のタイミングで次段の伝送装置２にプローブ信号を伝送する。次段の伝送装置２は、前段の伝送装置２からのプローブ信号を受信し、受信したプローブ信号に基づき、伝送特性を測定し、測定した伝送特性を記憶部４３に記憶する。更に、伝送装置２は、第２のタイミングで記憶部４３に記憶中の伝送特性を次段の伝送装置２に伝送する。次段の伝送装置２は、前段の伝送装置２から伝送特性を受信した場合、所定の連結順序、例えば、受信した伝送特性の後部に、記憶中の伝送特性を連結して次段の伝送装置２に伝送する。そして、各伝送装置２は、記憶部４３に記憶中の伝送特性がある場合、その伝送特性を受信した伝送特性に順次連結して次段の伝送装置２に順次伝送する。その結果、光伝送システム１Ａでは、リングネットワーク内の全伝送装置２の伝送特性を１回の周回で各送信端の伝送装置２に伝送できる。
【００９８】
伝送装置２は、前段の伝送装置２から連結した伝送特性を受信した場合、所定の連結順序に基づき、連結した伝送特性から自装置の伝送特性を抽出する。その結果、伝送装置２は、装置番号がなくても、自装置の伝送特性を抽出できる。
【００９９】
伝送装置２は、抽出した伝送特性に基づき、ＳＣ毎の多値度及び信号パワーの割当量を決定し、決定した多値度及び割当量を設定する。その結果、伝送装置２は、次段の伝送装置２との間で安定したＤＭＴ伝送を確保できる。
【０１００】
実施例２の各伝送装置２は、プローブ信号を次段の伝送装置２に伝送する。更に、次段の各伝送装置２は、受信したプローブ信号に基づき伝送特性を測定し、その伝送特性を記憶部４３に記憶した。更に、伝送装置２は、各伝送装置２の記憶部４３に記憶中の伝送特性を所定の連結順序で連結し、連結した伝送特性を各送信端の伝送装置２に伝送する。その結果、光伝送システム１Ａは、リングネットワーク内の全伝送装置２の伝送特性を１回の周回で全送信端の伝送装置２に伝送できる。
【０１０１】
各伝送装置２は、前段の伝送装置２から伝送特性を受信した場合、所定の連結順序に基づき、連結した伝送特性から自装置の伝送特性を抽出する。その結果、伝送装置２は、装置番号がなくても、連結した伝送特性から１回の周回で自装置の伝送特性を取得できる。
【０１０２】
実施例１の光伝送システム１では、リングネットワーク内の装置台数を４台とした場合、その伝送特性を設定するまでに要する周回数は４回である。これに対して、実施例２の光伝送システム１Ａでは、その伝送特性を設定するまでに周回数が１回で済む。その結果、リングネットワーク内のネゴシエーションに要する通信占有を軽減できる。尚、伝送装置２の装置台数が増えるに連れて、その効果は大である。
【０１０３】
尚、上記実施例２では、第４の伝送装置２Ｄ→第１の伝送装置２Ａ→第２の伝送装置２Ｂ→第３の伝送装置２Ｃの順序を連結順序とした。そして、第４の伝送装置２Ｄの伝送特性“４”、第１の伝送装置２Ａの伝送特性“１”、第２の伝送装置２Ｂの伝送特性“２”及び第３の伝送装置２Ｃの伝送特性“３”の順に連結した。しかしながら、連結順序は、これらに限定されるものではなく、適宜変更可能である。
【０１０４】
上記実施例２では、連結順序に基づき、全伝送装置２の伝送特性から自装置の伝送特性を抽出したが、連結順序でなくても良く、例えば、伝送特性に装置番号を付加し、装置番号に基づき、連結した伝送特性から自装置の伝送特性を抽出しても良い。そこで、この場合の実施の形態につき、実施例３として以下に説明する。尚、実施例２の光伝送システム１Ａと同一の構成には同一符号を付すことで、その重複する構成及び動作の説明については省略する。
【実施例３】
【０１０５】
図１５は、実施例３の光伝送システム１Ｂ内の伝送装置２の一例を示す説明図である。図１５に示す伝送装置２と図２に示す伝送装置２とが異なるところは、Ｔｘ１０から第２のスイッチ１７、Ｒｘ２０から第３のスイッチ２７を削除した点にある。
【０１０６】
リングネットワーク内の各伝送装置２は、第１のタイミングでプローブ信号を次段の伝送装置２に伝送する。更に、次段の各伝送装置２は、前段の伝送装置(送信端の伝送装置)２からプローブ信号を受信した場合に、送信端の伝送装置２との間の伝送特性を測定し、その伝送特性を記憶部４３に記憶する。
【０１０７】
更に、伝送装置２は、送信端の伝送装置２の伝送特性を記憶後、第２のタイミングで記憶中の伝送特性に送信端の伝送装置２の装置番号を付加し、付加した伝送特性を次段の伝送装置２に伝送する。更に、伝送装置２は、前段の伝送装置２から伝送特性を受信した場合、記憶部４３に記憶中の伝送特性に送信端の装置番号を付加し、その伝送特性を、受信した伝送特性に順次連結する。伝送装置２は、各伝送装置２の伝送特性を連結して各送信端の伝送装置２にリングネットワークを周回して伝送する。そして、各送信端の伝送装置２は、装置番号に基づき、連結した伝送特性から自装置の伝送特性を抽出し、抽出した自装置の伝送特性に基づき、ビットパワーローディング処理を実行する。
【０１０８】
図１６は、制御部３０Ｂの機能構成の一例を示す説明図である。図１６に示す制御部３０Ｂは、依頼部３１Ｂと、ラベル制御部３２Ｂと、測定部３３Ｂと、判定部３４Ｂと、取得部３５Ｂと、設定部３６Ｂと、スイッチ制御部３７Ｂと、連結部３８Ｂとを有する。依頼部３１Ｂは、プローブ信号の生成を生成部４１に依頼する。ラベル制御部３２Ｂは、装置番号を付加する付加部１６を制御すると共に、装置番号を読み取る読取部２６を制御する。測定部３３Ｂは、前段の伝送装置２からのプローブ信号に基づき、前段の伝送装置２との間の伝送特性を測定すると共に、測定した伝送特性を記憶部４３に記憶する。判定部３４Ｂは、装置番号に基づき、受信した伝送特性内に自装置の伝送特性があるか否かを判定する。取得部３５Ｂは、装置番号に基づき、連結した複数の伝送特性から自装置の伝送特性を取得する。設定部３６Ｂは、取得した自装置の伝送特性に基づき、ＳＣ毎の多値度及び信号パワーの割当量を決定し、決定したＳＣ毎の多値度及び信号パワーの割当量をＴｘ１０に設定する。スイッチ制御部３７Ｂは、第１のスイッチ４２を切替制御する。連結部３８Ｂは、リングネットワーク内の各伝送装置２の伝送特性を順次連結する。記憶部４３は、装置番号を記憶する領域の他に、測定部３３にて測定した測定特性を記憶する領域と、送信フラグを記憶する領域を有する。
【０１０９】
次に実施例３の光伝送システム１Ｂの動作について説明する。図１７、図１８Ａ及び図１８Ｂは、第３のネゴシエーション処理に関わる光伝送システム１Ｂの処理動作の一例を示す説明図である。図１７に示す第１の伝送装置２Ａは、第１のタイミング、例えば、ＮＭＳ３からネゴシエーション開始の要求を検出した場合、自装置の装置番号“１”を付加したプローブ信号を次段の第２の伝送装置２Ｂに伝送する（ステップＳ１７１）。第２の伝送装置２Ｂは、第１の伝送装置２Ａからのプローブ信号を受信した場合、プローブ信号に基づき、第１の伝送装置２Ａとの間の伝送特性“１”を測定する（ステップＳ１７２）。そして、第２の伝送装置２Ｂは、第１の伝送装置２Ａの伝送特性“１”を記憶部４３に記憶する。
【０１１０】
第２の伝送装置２Ｂは、ＮＭＳ３からネゴシエーション開始の要求を検出した場合、自装置の装置番号“２”を付加したプローブ信号を次段の第３の伝送装置２Ｃに伝送する（ステップＳ１７３）。第３の伝送装置２Ｃは、第２の伝送装置２Ｂからのプローブ信号を受信した場合、プローブ信号に基づき、第２の伝送装置２Ｂとの間の伝送特性“２”を測定する（ステップＳ１７４）。そして、第３の伝送装置２Ｃは、第２の伝送装置２Ｂの伝送特性“２”を記憶部４３に記憶する。
【０１１１】
第３の伝送装置２Ｃは、ＮＭＳ３からネゴシエーション開始の要求を検出した場合、自装置の装置番号“３”を付加したプローブ信号を次段の第４の伝送装置２Ｄに伝送する（ステップＳ１７５）。第４の伝送装置２Ｄは、第３の伝送装置２Ｃからのプローブ信号を受信した場合、プローブ信号に基づき、第３の伝送装置２Ｃとの間の伝送特性“３”を測定する（ステップＳ１７６）。そして、第４の伝送装置２Ｄは、第３の伝送装置２Ｃの伝送特性“３”を記憶部４３に記憶する。
【０１１２】
第４の伝送装置２Ｄは、ＮＭＳ３からネゴシエーション開始の要求を検出した場合、自装置の装置番号“４”を付加したプローブ信号を次段の第１の伝送装置２Ａに伝送する（ステップＳ１７７）。第１の伝送装置２Ａは、第４の伝送装置２Ｄからのプローブ信号を受信した場合、プローブ信号に基づき、第４の伝送装置２Ｄとの間の伝送特性“４”を測定する（ステップＳ１７８）。そして、第１の伝送装置２Ａは、第４の伝送装置２Ｄの伝送特性“４”を記憶部４３に記憶する。
【０１１３】
図１８Ａに示す第１の伝送装置２Ａは、第２のタイミングで、記憶部４３に記憶中の伝送特性“４”に送信端である第４の伝送装置２Ｄの装置番号“４”を付加し、装置番号“４”を付加した伝送特性を第２の伝送装置２Ｂに伝送する（ステップＳ１８１）。尚、第２のタイミングは、例えば、プローブ信号の送信開始から伝送特性の測定完了までに十分な所定時間を経過したタイミングである。そして、第１の伝送装置２Ａは、伝送特性の送信完了を識別する送信フラグを“１”に設定する（ステップＳ１８２）。
【０１１４】
第２の伝送装置２Ｂは、第１の伝送装置２Ａから伝送特性“４”を受信した場合、記憶部４３に記憶中の伝送特性“１”に送信端の第１の伝送装置２Ａの装置番号“１”を付加する。更に、第２の伝送装置２Ｂは、第１の伝送装置２Ａから受信した装置番号“４”の伝送特性“４”に装置番号“１”の伝送特性“１”を連結し、連結した伝送特性を第３の伝送装置２Ｃに伝送する（ステップＳ１８３）。尚、連結した伝送特性は、装置番号“４”の伝送特性“４”及び装置番号“１”の伝送特性“１”である。そして、第２の伝送装置２Ｂは、送信フラグを“１”に設定する（ステップＳ１８４）。
【０１１５】
第３の伝送装置２Ｃは、第２の伝送装置２Ｂから伝送特性を受信した場合、記憶部４３に記憶中の伝送特性“２”に送信端の第２の伝送装置２Ｂの装置番号“２”を付加する。更に、第３の伝送装置２Ｃは、第２の伝送装置２Ｂから受信した伝送特性に装置番号“２”の伝送特性“２”を連結し、連結した伝送特性を第４の伝送装置２Ｄに伝送する（ステップＳ１８５）。尚、連結した伝送特性は、装置番号“４”の伝送特性“４”、装置番号“１”の伝送特性“１”及び装置番号“２”の伝送特性“２”である。そして、第３の伝送装置２Ｃは、送信フラグを“１”に設定する（ステップＳ１８６）。
【０１１６】
第４の伝送装置２Ｄは、第３の伝送装置２Ｃから伝送特性を受信した場合、記憶部４３に記憶中の伝送特性“３”に送信端の第３の伝送装置２Ｃの装置番号“３”を付加する。更に、第４の伝送装置２Ｄは、第３の伝送装置２Ｃから受信した伝送特性に装置番号“３”の伝送特性“３”を連結し、連結した伝送特性を第１の伝送装置２Ａに伝送する（ステップＳ１８７）。尚、連結した伝送特性は、装置番号“４”の伝送特性“４”、装置番号“１”の伝送特性“１”、装置番号“２”の伝送特性“２”及び装置番号“３”の伝送特性“３”である。そして、第４の伝送装置２Ｄは、送信フラグを“１”に設定し（ステップＳ１８８）、図１８Ａに示す処理動作を終了する。
【０１１７】
各伝送装置２は、記憶部４３に記憶中の伝送特性に送信端の装置番号を付加し、各伝送装置２の伝送特性を順次連結し、リングネットワーク内の１周回で全伝送装置２の伝送特性を伝送できる。
【０１１８】
図１８Ｂに示す第１の伝送装置２Ａは、送信フラグが“１”の状態で、第４の伝送装置２Ｄから連結した伝送特性を受信した場合、自装置の装置番号“１”に基づき、伝送特性から自装置の伝送特性“１”を抽出する（ステップＳ１９１）。第１の伝送装置２Ａは、抽出した自装置の伝送特性“１”を設定し（ステップＳ１９２）、残りの伝送特性を第２の伝送装置２Ｂに伝送する（ステップＳ１９３）。
【０１１９】
第２の伝送装置２Ｂは、送信フラグが“１”の状態で、第１の伝送装置２Ａから連結した伝送特性を受信した場合、自装置の装置番号“２”に基づき、伝送特性から自装置の伝送特性“２”を抽出する（ステップＳ１９４）。第２の伝送装置２Ｂは、抽出した自装置の伝送特性“２”を設定し（ステップＳ１９５）、残りの伝送特性を第３の伝送装置２Ｃに伝送する（ステップＳ１９６）。
【０１２０】
第３の伝送装置２Ｃは、送信フラグが“１”の状態で、第２の伝送装置２Ｂから連結した伝送特性を受信した場合、自装置の装置番号“３”に基づき、伝送特性から自装置の伝送特性“３”を抽出する（ステップＳ１９７）。第３の伝送装置２Ｃは、抽出した自装置の伝送特性“３”を設定し（ステップＳ１９８）、残りの伝送特性を第４の伝送装置２Ｄに伝送する（ステップＳ１９９）。
【０１２１】
第４の伝送装置２Ｄは、送信フラグが“１”の状態で、第３の伝送装置２Ｃから連結した伝送特性を受信した場合、自装置の装置番号“４”に基づき、伝送特性から自装置の伝送特性“４”を抽出する（ステップＳ２００）。第４の伝送装置２Ｄは、抽出した自装置の伝送特性“４”を設定し（ステップＳ２０１）、図１８Ｂに示す処理動作を終了する。
【０１２２】
各伝送装置２は、各伝送装置２の装置番号を付加した伝送特性を順次連結し、全伝送装置２の伝送特性を各送信端の伝送装置２に伝送するため、装置番号に基づき、連結した伝送特性から自装置の伝送特性を抽出し、抽出した伝送特性を設定する。その結果、伝送装置２は、所定の連結順序でなくても、自装置の伝送特性を抽出できる。
【０１２３】
図１９は、第３のネゴシエーション処理に関わる伝送装置２内の制御部３０Ｂの処理動作の一例を示すフローチャートである。図１９に示す第３のネゴシエーション処理では、図１７、図１８Ａ及び図１８Ｂに示すように、リングネットワーク内の各伝送装置２の伝送特性を設定する処理である。
【０１２４】
図１９において各伝送装置２内の制御部３０Ｂ内の依頼部３１Ｂは、第１のタイミングを検出したか否かを判定する（ステップＳ２１１）。依頼部３１Ｂは、第１のタイミングを検出した場合（ステップＳ２１１肯定）、プローブ信号を生成し（ステップＳ２１２）、付加部１６にてプローブ信号に自装置の装置番号を付加する（ステップＳ２１３）。制御部３０Ｂは、自装置の装置番号を付加したプローブ信号を次段の伝送装置２に伝送し（ステップＳ２１４）、図１９に示す処理動作を終了する。
【０１２５】
制御部３０Ｂ内の測定部３３Ｂは、第１のタイミングを検出したのでない場合（ステップＳ２１１否定）、前段の伝送装置２からプローブ信号を受信したか否かを判定する（ステップＳ２１５）。測定部３３Ｂは、前段の伝送装置２からプローブ信号を受信した場合（ステップＳ２１５肯定）、プローブ信号に基づき前段の伝送装置２との間の伝送特性を測定する（ステップＳ２１６）。そして、測定部３３Ｂは、前段の伝送装置２の伝送特性を記憶部４３に記憶し（ステップＳ２１７）、図１９に示す処理動作を終了する。
【０１２６】
制御部３０Ｂは、前段の伝送装置２からプローブ信号を受信しなかった場合（ステップＳ２１５否定）、第２のタイミングを検出したか否かを判定する（ステップＳ２１８）。尚、第２のタイミングは、例えば、プローブ信号の送信開始から次段の伝送装置２側で伝送特性の測定処理が完了するまでに十分な所定時間を経過したタイミングである。制御部３０Ｂ内の連結部３８Ｂは、第２のタイミングを検出した場合（ステップＳ２１８肯定）、記憶部４３に記憶中の伝送特性を抽出する（ステップＳ２１９）。連結部３８Ｂは、抽出した伝送特性に前段の伝送装置２の装置番号を付加し（ステップＳ２２０）、付加した伝送特性を次段の伝送装置２に伝送する（ステップＳ２２１）。そして、連結部３８Ｂは、伝送特性の送信完了を示すべく、送信フラグを“１”に設定し（ステップＳ２２２）、図１９に示す処理動作を終了する。
【０１２７】
連結部３８Ｂは、第２のタイミングを検出したのでない場合（ステップＳ２１８否定）、前段の伝送装置２から伝送特性を受信したか否かを判定する（ステップＳ２２３）。連結部３８Ｂは、前段の伝送装置２から伝送特性を受信した場合（ステップＳ２２３肯定）、送信フラグが“１”であるか否かを判定する（ステップＳ２２４）。連結部３８Ｂは、送信フラグが“１”でない場合（ステップＳ２２４否定）、送信フラグが“０”、すなわち伝送特性の送信未完と判断する。そして、連結部３８Ｂは、記憶部４３に記憶中の伝送特性を抽出し（ステップＳ２２５）、付加部１６にて送信端の装置番号を抽出した伝送特性に付加する（ステップＳ２２６）。伝送装置２は、装置番号を付加した伝送特性を受信した伝送特性に連結する（ステップＳ２２７）。伝送装置２は、連結後の伝送特性を次段の伝送装置２に伝送し（ステップＳ２２８）、送信フラグを“１”に設定し（ステップＳ２２９）、図１９に示す処理動作を終了する。
【０１２８】
制御部３０Ｂ内の判定部３４Ｂは、送信フラグが“１”の場合（ステップＳ２２４肯定）、自装置の装置番号に基づき、受信した伝送特性内に自装置の伝送特性があるか否かを判定する（ステップＳ２３０）。制御部３０Ｂ内の取得部３５Ｂは、受信した伝送特性内に自装置の伝送特性がある場合（ステップＳ２３０肯定）、自装置の伝送特性を抽出する（ステップＳ２３１）。制御部３０Ｂは、自装置の伝送特性を抽出後、受信した伝送特性内に未抽出の装置番号があるか否かを判定する（ステップＳ２３２）。制御部３０Ｂは、未抽出の装置番号がある場合（ステップＳ２３２肯定）、残りの伝送特性を次段の伝送装置２に伝送し（ステップＳ２３３）、図１９に示す処理動作を終了する。
【０１２９】
制御部３０Ｂは、未抽出の装置番号がない場合（ステップＳ２３２否定）、図１９に示す処理動作を終了する。制御部３０Ｂは、受信した伝送特性内に自装置の伝送特性がない場合（ステップＳ２３０否定）、受信した伝送特性を次段の伝送装置２に伝送し（ステップＳ２３４）、図１９に示す処理動作を終了する。また、制御部３０Ｂは、前段の伝送装置２から伝送特性を受信しなかった場合（ステップＳ２２３否定）、図１９に示す処理動作を終了する。
【０１３０】
図１９に示す第３のネゴシエーション処理を実行する各伝送装置２は、第１のタイミングで次段の伝送装置２にプローブ信号を伝送する。次段の伝送装置２は、前段の伝送装置２からのプローブ信号を受信し、受信したプローブ信号に基づき、伝送特性を測定し、測定した伝送特性を記憶部４３に記憶する。更に、伝送装置２は、第２のタイミングで記憶部４３に記憶中の伝送特性に送信端の装置番号を付加し、その伝送特性を次段の伝送装置２に伝送する。次段の伝送装置２は、前段の伝送装置２から伝送特性を受信した場合、記憶部４３に記憶中の伝送特性に送信端の装置番号を付加し、その伝送特性に、受信した伝送特性を連結して次段の伝送装置２に伝送する。そして、各伝送装置２は、記憶部４３に記憶中の伝送特性がある場合、その伝送特性に送信端の装置番号を付加し、その伝送特性を、受信した伝送特性に順次連結して次段の伝送装置２に順次伝送する。その結果、光伝送システム１Ｂでは、リングネットワーク内の全伝送装置２の伝送特性を１回の周回で各送信端の伝送装置２に伝送できる。
【０１３１】
伝送装置２は、前段の伝送装置２から連結した伝送特性を受信した場合、装置番号に基づき、連結した伝送特性から自装置の伝送特性を抽出する。その結果、伝送装置２は、所定の連結順序を設定しなくても、自装置の伝送特性を抽出できる。
【０１３２】
実施例３では、同一タイミングで伝送装置２毎にプローブ信号を伝送し、次段の伝送装置２で伝送特性を測定し、その伝送特性を記憶部４３に記憶した。そして、各伝送装置２は、記憶部４３に記憶中の伝送特性に送信端の伝送装置２の装置番号を付加し、その伝送特性を次段の伝送装置２に連結して伝送する。各伝送装置２は、記憶部４３に記憶中の伝送特性に次段の伝送装置２の装置番号を付加し、各伝送特性を順次連結して各送信端の伝送装置２に伝送する。その結果、光伝送システム１Ｂは、リングネットワーク内の全伝送装置２の伝送特性を１回の周回で全送信端の伝送装置２に伝送できる。
【０１３３】
また、各伝送装置２は、伝送特性に装置番号を付加しているため、連結順序を意識しなくても、装置番号を参照し、連結した伝送特性から自装置の伝送特性を抽出する。その結果、伝送装置２は、連結順序を意識しなくても、連結した伝送特性から１回の周回で自装置の伝送特性を取得できる。
【０１３４】
実施例１の光伝送システム１では、リングネットワーク内の装置台数を４台とした場合、その伝送特性を設定するまでに要する周回数は４回である。これに対して、実施例３の光伝送システム１Ｂでは、その伝送特性を設定するまでに周回数が１回で済む。その結果、リングネットワーク内のネゴシエーションに要する通信占有を軽減できる。尚、伝送装置２の装置台数が増えるに連れて、その効果は大である。
【０１３５】
尚、上記実施例１乃至３では、４台の伝送装置２で構成するリングネットワークを例示したが、４台に限定されるものではなく、２台以上であれば、適宜変更可能である。
【０１３６】
上記実施例２及び３では、第１のタイミングとしてＮＭＳ３からのネゴシエーション開始の要求を検出したタイミングとした。しかしながら、例えば、リングネットワーク内の複数の伝送装置２の内、任意の伝送装置２のネゴシエーション開始の要求を検出したタイミングでも良く、適宜変更可能である。
【０１３７】
上記実施例２及び３では、第２のタイミングとしてプローブ信号送信開始から伝送特性の測定処理完了に要する十分な所定時間を経過したタイミングとした。しかしながら、例えば、ＮＭＳ３からの要求を検出したタイミングでも良く、適宜変更可能である。
【０１３８】
上記実施例１及び３では、伝送装置２に装置番号を付与したが、番号に限定されるものではなく、伝送装置２を識別できるものであれば良く、例えば、アルファベット等の記号でも良く、適宜変更可能である。また、装置番号は連番で付与したが、連番に限定されるものではなく、適宜変更可能である。
【０１３９】
上記実施例１では、伝送装置２が自装置の伝送特性の設定が完了した場合に、装置番号ｍを＋１インクリメントしてラベル情報“０ｍ”を次段の伝送装置２に伝送した。そして、次段の伝送装置２は、ラベル情報を参照し、ラベル情報内の装置番号が装置総数を超えた場合にネゴシエーション動作を終了した。しかしながら、伝送装置２は、ラベル情報を次段の伝送装置２に伝送することなく、自装置の伝送特性の設定が完了した場合に終了フラグを立てることでネゴシエーション動作を終了しても良い。
【０１４０】
上記実施例１乃至３では、リングネットワーク内の各伝送装置２の伝送特性を光伝送路４でリングネットワークを周回して伝送した。しかしながら、光伝送路４を使用しなくても、伝送特性を、光伝送路４と異なる制御線を使用して良く、適宜変更可能である。
【０１４１】
また、上記実施例１乃至３では、ＤＭＴ変調方式の光伝送システム１を例示したが、複数のＳＣにデータを割り当て、ＳＣ毎に割り当てられたデータを変調する他のマルチキャリア変調方式の光伝送システムにも適用可能である。例えば、ＯＦＤＭ（Orthogonal  Frequency  Division  Multiplexing）変調方式やＱＰＳＫ(Quadrature  Phase  Shift  Keying)変調方式を含む各種ＰＳＫ変調方式等のマルチキャリア変調方式の光伝送システムにも適用可能である。同様に、ＤＰＳＫ（Differential  Phase  Shift  Keying）や８ＰＳＫ等にも適用可能である。つまり、伝送装置２間でプローブ信号を伝送し、プローブ信号に基づき伝送特性を測定し、その伝送特性を送信端の伝送装置に返信するネゴシエーション機能を用いた送方式に適用可能である。
【０１４２】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１４３】
更に、各装置で行われる各種処理機能は、ＣＰＵ（Central  Processing  Unit）、ＤＳＰ（Digital  Signal  Processor）やＦＰＧＡ（Field  Programmable  Gate  Array）等上で、その全部又は任意の一部を実行するようにしても良い。また、各種処理機能は、ＣＰＵ等で解析実行するプログラム上、又はワイヤードロジックによるハードウェア上で、その全部又は任意の一部を実行するようにしても良い。
【０１４４】
各種情報を記憶する領域は、例えば、ＲＯＭ（Read  Only  Memory）や、ＳＤＲＡＭ（Synchronous  Dynamic  Random  Access  Memory）、ＭＲＡＭ（Magnetoresistive  Random  Access  Memory）やＮＶＲＡＭ（Non  Volatile  Random  Access  Memory）等のＲＡＭ（Random  Access  Memory）で構成しても良い。
【符号の説明】
【０１４５】
１  光伝送システム
２  伝送装置
２Ａ  第１の伝送装置
２Ｂ  第２の伝送装置
２Ｃ  第３の伝送装置
２Ｄ  第４の伝送装置
１０  送信部
１６  付加部
３０  制御部
３３  測定部
３４  判定部
３５  取得部
３６  設定部
３８Ａ  連結部
４１  生成部
４３  記憶部
【図１】
0006485226.tif 000002
【図２】
0006485226.tif 000003
【図３】
0006485226.tif 000004
【図４】
0006485226.tif 000005
【図５Ａ】
0006485226.tif 000006
【図５Ｂ】
0006485226.tif 000007
【図６Ａ】
0006485226.tif 000008
【図６Ｂ】
0006485226.tif 000009
【図７】
0006485226.tif 000010
【図８】
0006485226.tif 000011
【図９】
0006485226.tif 000012
【図１０】
0006485226.tif 000013
【図１１】
0006485226.tif 000014
【図１２】
0006485226.tif 000015
【図１３Ａ】
0006485226.tif 000016
【図１３Ｂ】
0006485226.tif 000017
【図１４】
0006485226.tif 000018
【図１５】
0006485226.tif 000019
【図１６】
0006485226.tif 000020
【図１７】
0006485226.tif 000021
【図１８Ａ】
0006485226.tif 000022
【図１８Ｂ】
0006485226.tif 000023
【図１９】
0006485226.tif 000024